【事件の表示】
　平成　９年特許願第２５１１３２号「蛍光顕微鏡」拒絶査定不服審判事件〔平成１１年　４月　９日出願公開、特開平１１−　９４７４２〕について、次のとおり審決する。
【結　論】
　本件審判の請求は、成り立たない。
【理　由】
１．手続の経緯・本願発明
　本願は、平成９年９月１６日の出願であって、平成１８年８月２５日付けで拒絶査定がされ、これに対し、同年１０月５日に拒絶査定不服審判の請求がされたものであって、その請求項１に係る発明は、特許請求の範囲の請求項１に記載された次のとおりのものと認める。（以下「本願発明」という。）
　
　「【請求項１】２種以上の蛍光を発する多重染色標本を励起する２種以上の励起波長の励起光を発する光源と、
この光源と対物レンズとの間に配置され、２種以上の励起波長の励起光のそれぞれの光量を測定する測定手段と、
この測定手段の測定値に基づいて前記対物レンズに入射する２種以上の励起波長の光量比を調整する調整手段とを備えていることを特徴とする蛍光顕微鏡。」
　
２．引用例
２−１．引用例１
　原査定の拒絶の理由に引用された、本願出願日前に頒布された刊行物である、特開平５−１５０１６４号公報（以下、「引用例１」という。）には、図面とともに次の事項が記載されている。（下線は当審にて付加した。）
　
（ア）「【請求項１】  
落射照明用光源から投射された光束を複数の狭帯域励起光波長に変換するための励起フィルターと、この励起フィルターにより変換された複数の狭帯域励起光波長の光を反射させて標本に照射し、当該標本から発せられる複数種類の蛍光を透過するダイクロイックミラーと、このダイクロイックミラーからの透過光より余分な波長域を吸収して蛍光像の波長を透過させる吸収フィルターとを有する落射蛍光顕微鏡において、前記ダイクロイックミラー以前の落射照明光路中に透過波長帯域をシフトして前記複数の狭帯域励起光の光量比を可変する透過波長シフト用フィルターを配置したことを特徴とする落射蛍光顕微鏡
　
（イ）「【０００１】
【産業上の利用分野】本発明は、医学，生物学などの分野において生物組織などの状態を観察するときに利用される落射蛍光顕微鏡に係わり、特に
標本から発する２種以上の蛍光像の強度を調整する技術を改良した落射蛍光顕微鏡
　
（ウ）「【００１２】
【実施例】以下、本発明の実施例について図面を参照して説明する。
図１は本発明に係わる落射蛍光顕微鏡の光学系の一実施例を示す構成図
【００１３】
１８は対物レンズ
　
（エ）「【００１７】次に、以上のように構成された落射蛍光顕微鏡の動作について説明する。
【００１８】先ず、干渉フィルター１３が存在しないとき、
光源１１から投射された光は
標本２０に照射される
【００１９】
そして、この標本２０から発せられた蛍光は、対物レンズ１８
を透過し
　
（オ）「【００３９】
【発明の効果】以上説明したように本発明によれば、
多重染色蛍光標本においてこの標本から発する各蛍光色素の励起光量比を、励起光側の光軸に対して垂直方向から干渉フィルターを徐々に所定方向に傾けるように回転させる
といった簡単な操作によって調整できるので、各蛍光色素ごとの蛍光強度の違いおよび褪色速度の違いや観察者の好みに応じて多重染色の蛍光像の明るさの比を変えることができ、観察或いは写真などの撮影に際して蛍光色素の違いによる蛍光像の明るさの相違を確実に補正でき、観察しやすい蛍光像を得ることができる
　
　これらの記載から、引用例１には「２種以上の蛍光を発する標本に対し、
落射照明用光源から投射された光束を励起フィルターによって複数の狭帯域励起光波長に変換して照射する光源と、
該光源からの光を標本に照射し、標本から発せられた蛍光を透過する対物レンズと、
落射照明光路中に配置された、透過波長帯域をシフトして前記複数の狭帯域励起光の光量比を可変する透過波長シフト用フィルターとを備えた、落射蛍光顕微鏡。」の発明（以下、「引用例１に記載された発明」という。）が記載されているものと認められる。
　
２−２．引用例４
　原査定の拒絶の理由に引用された、本願出願日前に頒布された刊行物である、特開平９−４３１４７号公報（以下、「引用例４」という。）には、次の事項が記載されている。（下線は当審にて付加した。）
　
（カ）「【請求項１】  
試料中の蛍光物質から発せられる蛍光を暗視野で観察する暗視野落射蛍光顕微鏡装置
前記試料に照射される励起光を発生する第１の光源部と、
前記第１の光源部から発せられた前記励起光を前記試料へ導き照射する暗視野落射照明手段と、
前記暗視野落射照明手段によって前記励起光が照射された前記試料の部分を視野に有し前記試料からの光を入力する第１の光学系と、前記第１の光学系から出力された光を入力し前記励起光の波長と略同一の波長の光を遮断する吸収フィルタと、前記吸収フィルタから出力された光を入力して所定領域に集光する第２の光学系とを有する対物レンズ部と、
前記対物レンズ部から出力された前記蛍光を検出する蛍光検出手段と、
を備えることを特徴とする暗視野落射蛍光顕微鏡装置。
・・・
【請求項１５】  
前記第１の光源部から発せられる前記励起光を制御する処理制御手段を更に備える
【請求項１６】  
前記第１の光源部から発せられる前記励起光の光量を測定する励起光検出手段を更に備え、前記処理制御手段は、前記励起光検出手段で測定された前記励起光の光量
を処理するデータ処理部と、前記処理の結果に基づいて前記第１の光源部から発せられる前記励起光を制御する
ことを特徴とする請求項１５記載の暗視野落射蛍光顕微鏡装置。」
　
（キ）「【０００１】
【発明の属する技術分野】本発明は、蛍光物質に励起光を照射してその蛍光物質から発せられた蛍光を暗視野で観察する暗視野落射蛍光顕微鏡装置に関するものである。」
　
（ク）「【００１３】
【課題を解決するための手段】請求項１に係る暗視野落射蛍光顕微鏡装置は、試料中の蛍光物質から発せられる蛍光を暗視野で観察する暗視野落射蛍光顕微鏡装置であって、（１）試料に照射される励起光を発生する第１の光源部と、（２）第１の光源部から発せられた励起光を試料へ導き照射する暗視野落射照明手段と、（３）暗視野落射照明手段によって励起光が照射された試料の部分を視野に有し試料からの光を入力する第１の光学系と、第１の光学系から出力された光を入力し励起光の波長と略同一の波長の光を遮断する吸収フィルタと、吸収フィルタから出力された光を入力して所定領域に集光する第２の光学系とを有する対物レンズ部と、（４）対物レンズ部から出力された蛍光を検出する蛍光検出手段と、を備えることを特徴とする。
・・・
【００２５】
請求項１５に係る暗視野落射蛍光顕微鏡装置では、第１の光源部から発せられる励起光を制御する制御処理手段を更に備える。この処理制御手段は、試料表面に照射される励起光の光量を制御したり
【００２６】
請求項１６に係る暗視野落射蛍光顕微鏡装置では、加えて、第１の光源部から発せられる励起光の光量を測定する励起光検出手段を更に備え、処理制御手段は、励起光検出手段で測定された励起光の光量
を処理するデータ処理部と、処理の結果に基づいて第１の光源部から発せられる励起光を制御する励起光制御部とを備える。第１の光源部から発せられる励起光の光量、即ち試料表面に照射される励起光の光量は、励起光検出手段でモニタされる。励起光検出手段で測定された励起光の光量と蛍光検出手段で検出された蛍光とは、データ処理部で処理、例えば除算処理される。第１の光源部から発せられる励起光は、データ処理部における処理の結果に基づいて励起光制御部により制御される
　
（ケ）「【００７０】次に、
第４の実施形態
【００７１】本実施形態に係る暗視野落射照明手段は、開口絞り８０、輪帯光束形成回折格子２８、視野絞り８１、フィールドレンズ１４、輪帯反射鏡２３、輪帯コンデンサレンズ２２を備える。更に、
本実施形態では、
モニタ用ビームスプリッタ８２、および励起光検出部４２をも備える
・・・
【００７３】
モニタ用ビームスプリッタ８２は、励起光の一部（例えば０．１％）を反射し励起光検出部４２に導き、その励起光の一部の光量は、励起光検出部４２で測定される。この測定結果に基づいて、シャッタ１２、ＮＤフィルタ１３および開口絞り８０を制御することが可能であり、適正な励起光量
を設定することができる
　
　以上の記載から、引用例４には、「暗視野落射蛍光顕微鏡装置であって、
光源部から発せられる励起光の光量を測定する励起光検出手段と、
前記励起光を制御する処理制御手段とを備え、
前記処理制御手段は、前記励起光検出手段で測定された前記励起光の光量に基づいて前記励起光の光量を制御する、暗視野落射蛍光顕微鏡装置。」の発明（以下、「引用例４に記載された発明」という。）が記載されているものと認められる。
　
３．対比
　本願発明と引用例１に記載された発明とを対比する。
　引用例１に記載された発明の、「２種以上の蛍光を発する標本」及び「標本に対し、落射照明用光源から投射された光束を励起フィルターによって複数の狭帯域励起光波長に変換して照射する光源」は、それぞれ本願発明の、「２種以上の蛍光を発する多重染色標本」及び「多重染色標本を励起する２種以上の励起波長の励起光を発する光源」に相当する。
　また、引用例１に記載された発明の、「落射照明光路」は、光源から対物レンズに入射する励起光の光路であるから、引用例１に記載された発明の「落射照明光路中に配置された、透過波長帯域をシフトして前記複数の狭帯域励起光の光量比を可変する透過波長シフト用フィルター」は、本願発明の「対物レンズに入射する２種以上の励起波長の光量比を調整する調整手段」に相当する。
　
　そうすると、本願発明と引用例１に記載された発明とは、「２種以上の蛍光を発する多重染色標本を励起する２種以上の励起波長の励起光を発する光源と、
対物レンズに入射する２種以上の励起波長の光量比を調整する調整手段とを備えている蛍光顕微鏡。」である点で一致し、次の点で相違する。
　
（相違点１）本願発明では「光源と対物レンズとの間に配置され、２種以上の励起波長の励起光のそれぞれの光量を測定する測定手段」を備えているのに対し、引用例１に記載された発明では測定手段の構成を備えていない点。
　
（相違点２）本願発明では、調整手段による光量比の調整を「測定手段の測定値に基づいて」行っているのに対し、引用例１に記載された発明では、測定手段の測定値に基づいて光量比を可変することは行っていない点。
　
４．判断
　上記相違点１及び２について判断する。
　引用例４に記載された発明は、暗視野落射蛍光顕微鏡装置であって、励起光の光量を測定し、励起光の光量を制御する構成を備えている。そして、上記摘記事項（ケ）に「この測定結果に基づいて、シャッタ１２、ＮＤフィルタ１３および開口絞り８０を制御することが可能であり、適正な励起光量・・・を設定することができる。」と記載されるように、適正な励起光量の設定は、励起光の光量を測定することによって行われるものであり、この励起光量の設定は、励起光量を可変することを意味することは明らかである。
　ところで、引用例１に記載された発明は、光量比を可変する透過波長シフト用フィルターを備えているが、どのようにして光量比を可変させるのかについて明らかでない。しかし、上記摘記事項（オ）に「多重染色蛍光標本においてこの標本から発する各蛍光色素の励起光量比を・・・調整できるので、各蛍光色素ごとの蛍光強度の違いおよび褪色速度の違いや観察者の好みに応じて多重染色の蛍光像の明るさの比を変えることができ、観察或いは写真などの撮影に際して蛍光色素の違いによる蛍光像の明るさの相違を確実に補正でき、観察しやすい蛍光像を得ることができる。」と記載されているように、引用例１に記載された発明において、励起光量比を可変させることが、多重染色の蛍光像の明るさの比を変えることで、適正な蛍光像の観察を行うためのものであることは明らかであり、このように励起光量比を可変することは、それぞれの励起光量を可変することを含むことも明らかである。そうすると、上記したように、蛍光顕微鏡において、励起光量を可変するために励起光の光量を測定することは、引用文献４に記載された発明に示されており、さらに、引用例１に記載された発明の落射蛍光顕微鏡と、引用例４に記載された発明の暗視野落射蛍光顕微鏡装置とは、共に落射蛍光顕微鏡である点で共通するものであるから、引用例１に記載された発明において、透過波長シフト用フィルターにより複数の狭帯域励起光の光量比を可変する際、引用例４に記載された発明の、励起光量を可変するために励起光の光量を測定する構成を採用して、励起光の光量をそれぞれの励起波長について測定し、その測定値に基づいて励起光量比を可変させるような構成とすることは、当業者であれば容易に為し得たものである。
　その際に、励起光の光量を測定する手段を、励起光を測定しうるような位置、すなわち、光源と対物レンズとの間に配置することは、当業者であれば当然に為し得たものである。
　
　そして、本願発明の作用効果、また審判請求書において審判請求人が主張する取得画像の安定性や、画像観察の再現性などを保証できるということも、引用例１及び４それぞれに記載された発明から、当業者であれば予測できる範囲のものである。
　
５．むすび
　以上の通り、本願発明は、引用例１及び４それぞれに記載された発明に基づいて、当業者が容易に発明をすることができたものであるから、特許法２９条２項の規定により特許を受けることができない。
　
　したがって、請求項２乃至６に係る発明について審理するまでもなく、本件出願は拒絶されるべきものである。
　
　よって、結論のとおり審決する。